(57)【要約】【課題】紙幣の識別および選別収納を行うための搬送経路長を確保しつつ構造を簡素化して、特に装置の高さを共に抑えると共に、ジャム解除の操作性を向上させる。【解決手段】搬送部１には、遊技島の搬送装置によって島端まで水平方向に直立姿勢で搬送されてきた紙幣を受け入れて、当該方向および姿勢を維持したまま搬送する搬送手段が設けられている。収納ブロック３には、紙幣を金種別に収納するための複数の収納部３ａ〜３ｄが設けられている。搬送部１における識別手段の識別結果に基づいて、搬送手段によって搬送されてきた紙幣を、遊技島の搬送装置による搬送方向および姿勢を維持したまま各収納部３ａ〜３ｄに金種別に選別して送り込む選別手段が設けられている。【選択図】図１
2007334597.tif 000002
【特許請求の範囲】
【請求項１】
複数の遊技台および遊技媒体貸出機と紙幣搬送装置とを含む遊技島の島端に隣接して設置され、前記貸出機に投入され前記搬送装置によって島端へ搬送されてきた紙幣を受け入れて収納する紙幣収納装置であって、
前記搬送装置によって島端まで水平方向に直立姿勢で搬送されてきた紙幣を受け入れて、当該方向および姿勢を維持したまま搬送する搬送手段と、
前記搬送手段によって搬送される紙幣の金種を識別する識別手段と、
紙幣を金種別に収納するための複数の収納部と、
前記識別手段による識別結果に基づいて、前記搬送手段によって搬送されてきた紙幣を前記方向および姿勢を維持したまま各収納部に金種別に選別して送り込む選別手段と、
を備えたことを特徴とする紙幣収納装置。
【請求項２】
前記搬送手段を島端側である装置後面側に、前記収納部を島端の反対側である装置前面側に、それぞれ集約して配置した、ことを特徴とする請求項１記載の紙幣収納装置。
【請求項３】
前記搬送手段は、
前記搬送装置の搬送方向に対して略直交した水平方向へ略直線状に紙幣を搬送する複数の直進部分と、
前記直進部分どうしの間で紙幣の搬送方向を反転させる転回部分と、
からなる搬送経路を形成している、ことを特徴とする請求項１または２記載の紙幣収納装置。
【請求項４】
前記選別手段は、
前記搬送手段によって形成される搬送経路の下流側から分岐する複数の分岐経路と、
前記分岐経路のいずれかを通じて紙幣が送り込まれる少なくとも１つの仮収納部と、
前記仮収納部に送り込まれた紙幣を、当該仮収納部の両側に位置する前記収納部に振り分ける振分け手段と、
を有することを特徴とする請求項１乃至３のいずれかに記載の紙幣収納装置。
【発明の詳細な説明】
【技術分野】
【０００１】
本発明は、パチンコ店等における遊技島の島端に隣接して設置され、遊技島の遊技媒体貸出機に投入され搬送装置によって島端へ搬送されてきた紙幣を受け入れて金種別に収納する紙幣収納装置に関する。
【背景技術】
【０００２】
上記のような紙幣収納装置においては、島端へランダムに搬送されてくる紙幣の金種を識別した上で、それらの紙幣を金種別に選別収納する必要がある。このような紙幣の識別および選別収納を行うためには、紙幣の長さとの関係で装置内にある程度長い搬送経路を確保する必要がある。
【０００３】
そのような紙幣収納装置には、例えば特許文献１および２に記載されたものがある。特許文献１および２には、装置の奥行を抑えつつ内部の搬送経路長さを確保するために、紙幣の搬送方向および姿勢を、それぞれ垂直と水平の間で３次元的に転換させるような紙幣収納装置が記載されている。
【特許文献１】特開２００３−０５１０４８号公報（［００１３］段落、図１等）
【特許文献２】特開２００３−２９６７９４号公報（［００１１］段落、図１等）
【発明の開示】
【発明が解決しようとする課題】
【０００４】
上述した従来の紙幣収納装置では、装置の奥行を抑えることはできても、高さがかなり大きくなってしまう。また、紙幣の搬送経路が３次元的に入り組んで構造が複雑になり、ジャム（紙幣詰まり）解除の操作性も悪くなってしまう。
【０００５】
本発明は、このような点を考慮してなされたものであり、紙幣の識別および選別収納を行うための搬送経路長を確保しつつ構造を簡素化して、特に装置の高さを共に抑えると共に、ジャム解除の操作性を向上させることのできる紙幣収納装置を提供することを目的とする。
【課題を解決するための手段】
【０００６】
上記課題を解決するために、本発明は、
複数の遊技台および遊技媒体貸出機と紙幣搬送装置とを含む遊技島の島端に隣接して設置され、前記貸出機に投入され前記搬送装置によって島端へ搬送されてきた紙幣を受け入れて収納する紙幣収納装置であって、
前記搬送装置によって島端まで水平方向に直立姿勢で搬送されてきた紙幣を受け入れて、当該方向および姿勢を維持したまま搬送する搬送手段と、
前記搬送手段によって搬送される紙幣の金種を識別する識別手段と、
紙幣を金種別に収納するための複数の収納部と、
前記識別手段による識別結果に基づいて、前記搬送手段によって搬送されてきた紙幣を前記方向および姿勢を維持したまま各収納部に金種別に選別して送り込む選別手段と、
を備えたことを特徴とする紙幣収納装置を提供する。
【０００７】
ここで遊技島の「島端」は、遊技島の水平長手方向の端部を意味する。また、紙幣の「直立姿勢」は、紙幣の紙面が略垂直となった姿勢を意味し、典型的には紙幣の短手方向が略垂直方向を向いた姿勢である。そして、「（水平方向に）搬送されてきた紙幣を…当該／前記方向…を維持したまま」とは、水平方向に搬送されてきた紙幣の搬送経路を実質的に同じ高さに維持することを意味し、その限りにおいて（すなわち、実質的に同じ高さでの水平方向といえる範囲内では）方向転換を許容する趣旨である。
【０００８】
この紙幣収納装置によれば、紙幣の水平な搬送方向および直立姿勢を維持したまま、すなわち搬送方向の３次元的な転換や姿勢の変化を伴うことなく、当該紙幣を搬送しつつ識別し、金種別に選別収納することができる。このため、紙幣の識別および選別収納を行うための搬送経路長を確保しつつ構造を簡素化して、特に装置の高さを共に抑えると共に、ジャム解除の操作性を向上させることが可能となる。
【０００９】
この紙幣収納装置において、前記搬送手段を島端側である装置後面側に、前記収納部を島端の反対側である装置前面側に、それぞれ集約して配置することが好ましい。
【００１０】
これにより、収納部に収納した紙幣の取り出し回収を装置前面側から容易に行うことが可能となる。
【００１１】
前記搬送手段は、前記搬送装置の搬送方向に対して略直交した水平方向へ略直線状に紙幣を搬送する複数の直進部分と、前記直進部分どうしの間で紙幣の搬送方向を反転させる転回部分とからなる搬送経路を形成していることが好ましい。
【００１２】
これにより、搬送経路長を確保しつつ搬送部をよりコンパクトにまとめることができ、特に搬送経路における複数の直進部分を装置の幅方向へ延びるように配置することで、装置の奥行も抑えることが可能となる。
【００１３】
前記選別手段は、前記搬送手段によって形成される搬送経路の下流側から分岐する複数の分岐経路と、前記分岐経路のいずれかを通じて紙幣が送り込まれる少なくとも１つの仮収納部と、前記仮収納部に送り込まれた紙幣を、当該仮収納部の両側に位置する前記収納部に振り分ける振分け手段とを有することが好ましい。
【００１４】
これにより、分岐経路だけを用いて紙幣の選別収納を行う場合に比べて、装置内スペースのより効率的な利用を図ることができる。
【発明を実施するための最良の形態】
【００１５】
次に、図面を参照して本発明の一実施形態について説明する。図１〜図１０は本発明による紙幣収納装置の実施の形態を示す図である。以下、本実施形態の全体構成、各部の具体的構成、動作および作用効果、並びに変形例について順次説明する。
【００１６】
［全体構成］
図１〜図９には、本発明による紙幣収納装置の一実施形態が示されている。この紙幣収納装置Ｄは、例えば図１０に示すようなパチンコ店等における遊技島の島端に隣接して設置される。その遊技島は、紙幣搬送装置Ａと、この搬送装置Ａの両側に配列された複数の遊技台（例えばパチンコ台）Ｂと、これらの遊技台Ｂ同士の間に配置された遊技媒体貸出機（例えば台間玉貸し機）Ｃとを含んでいる。
【００１７】
そして、紙幣収納装置Ｄは、図９に示すように、貸出機Ｃに投入され搬送装置Ａによって島端へ搬送されてきた紙幣Ｐを受け入れて収納するように構成されている。遊技島の紙幣搬送装置Ａによる紙幣の搬送方向は、遊技島の長手方向を向いた水平方向である。また、同搬送装置Ａによる紙幣の搬送姿勢は、紙幣の紙面が垂直となった直立姿勢、ここでは特に紙幣の短手方向が垂直方向を向いた姿勢である。この場合、紙幣の長手方向は、搬送装置Ａによる搬送方向を向くことになる。
【００１８】
図７に示すように、紙幣収納装置Ｄは、遊技島に対して固定される筐体ｄ１（図９参照）と、この筐体ｄ１内に納められる内部ユニットｄ２とを備えている。内部ユニットｄ２は、搬送部１と収納ブロック３とに分かれている（図１〜図３参照）。搬送部１には、搬送装置Ａ（図９）によって島端まで水平方向に直立姿勢で搬送されてきた紙幣を受け入れて、当該方向および姿勢を維持したまま搬送する搬送手段（後述）が設けられている。また、収納ブロック３には、紙幣を金種別に収納するための複数の収納部３ａ〜３ｄ（図１）が設けられている。
【００１９】
そして、搬送部１は島端側である装置後面側ｒに、収納ブロック３は島端の反対側である装置前面側ｆに、それぞれ配置されている（図９参照）。これにより、紙幣収納装置Ｄは、搬送手段を装置後面側ｒに、各収納部３ａ〜３ｄを装置前面側ｆに、それぞれ集約して配置した構造を有している。なお、装置Ｄの前面側ｆから後面側ｒに向かう水平方向（搬送装置Ａによる紙幣の搬送方向と平行な方向）が装置Ｄの奥行方向であり、この奥行方向の装置Ｄの長さが装置Ｄの奥行である。また、当該奥行方向と直交する水平方向が装置Ｄの幅方向であり、この幅方向の装置Ｄの長さが装置Ｄの幅である。
【００２０】
紙幣収納装置Ｄは、搬送部１における搬送手段によって搬送される紙幣の金種を識別する識別手段（後述）を備えている。また、紙幣収納装置Ｄは、識別手段による識別結果に基づいて、搬送手段によって搬送されてきた紙幣を、遊技島の搬送装置Ａによる上記搬送方向および姿勢を維持したまま収納ブロック３の各収納部に金種別に選別して送り込む選別手段（後述）を備えている。
【００２１】
なお、内部ユニットｄ２は、スライドレールＬを介して筐体ｄ１から装置前面側ｆへ引き出すことができるように支持されている。その際、搬送部１は、紙幣の搬送経路に外部からアクセス可能となる形態に展開するようになっている。具体的には、筐体ｄ１からの内部ユニットｄ２の引き出し時には、図８に示すように、搬送部１が第１〜第４の４つのブロック１ａ〜１ｄに分かれて水平方向に展開するようになっている。その際、第２〜第４ブロック１ｂ〜１ｄは、それぞれ収納ブロック３に対して揺動軸ｓ１を中心として水平に（図８の反時計回り方向へ）揺動する形で展開する。また、第１ブロック１ａは、第２ブロック１ｂに対して（その先端側の）揺動軸ｓ２を中心として水平に（図８の時計回り方向へ）揺動する形で展開する。
【００２２】
［各部の具体的構成］
（１）搬送部
次に、主に図４および図５を参照して、搬送部１の具体的構成について説明する。
【００２３】
図１および図３〜図５に示すように、搬送部１には、搬送装置Ａ（図９）によって搬送されてきた紙幣Ｐ（図３）を受け入れる導入部分１０が設けられている。図４に示すように、搬送部１には、搬送手段を構成する８つの搬送ベルト装置２０〜２７が設けられている。各搬送ベルト装置２０〜２７は、それぞれ２つ以上のプーリを介して張設された平ベルトを有している。
【００２４】
これらの搬送ベルト装置２０〜２７は、図５に示すような搬送経路１１〜１５を形成している。この搬送経路１１〜１５は、搬送装置Ａ（図９）の搬送方向に対して略直交した水平方向へ略直線状に紙幣を搬送する３つの直進部分１１〜１３と、これらの直進部分１１，１２；１２，１３どうしの間で紙幣の搬送方向を反転させる２つの転回部分１４；１５とからなっている。この搬送経路における各直進部分１１〜１３は、装置Ｄの幅方向へ延びるように形成されている。
【００２５】
そのうち直進部分１１は、搬送ベルト装置２０および２１の間に形成されている。また、直進部分１２は、搬送ベルト装置２０および２３と、搬送ベルト装置２２との間に形成されている。そして、直進部分１３は、搬送ベルト装置２３および２５並びに揺動ガイド部材２８ａ，２８ｂ（下記）と、搬送ベルト装置２２との間に形成される。
【００２６】
なお、導入部分１０は、搬送装置Ａ（図９）の搬送方向から搬送経路の最初の直進部分１１に向かって搬送方向を９０度転向させる、搬送経路への転向部分を形成している。また、直進部分１１の途中には、上記識別手段を構成する識別センサＳが配置されている。そして、搬送経路の下流側である最後の直進部分１３からは、収納ブロック３（図１）に向かって３つの分岐経路１６〜１８が分岐している。
【００２７】
具体的には、直進部分１３に沿って２つの揺動ガイド部材２８ａ，２８ｂが設けられている。そして、分岐経路１６は揺動ガイド部材２８ａおよび搬送ベルト装置２４と、搬送ベルト装置２３との間に形成される。また、分岐経路１７は、揺動ガイド部材２８ｂおよび搬送ベルト装置２６と、搬送ベルト装置２５との間に形成される。そして、分岐経路１８は、直進部分１３の延長部分として、搬送ベルト装置２２および２７の間に形成されている。
【００２８】
すなわち、揺動ガイド部材２８ａ，２８ｂの揺動位置を分岐位置（図４に示すガイド部材２８ａの位置）と直進位置（図４に示すガイド部材２８ｂの位置）との間で切り換えることで、紙幣の進路を、搬送経路の直進部分１３から、分岐経路１６〜１８のいずれかに分岐させることができるようになっている。なお、各分岐経路１６，１７，１８の下流側には、それぞれゴム羽根車２９ｆ，２９ｂ，２９ｇが設けられている。
【００２９】
（２）収納ブロック
次に、主に図１〜図３を参照して、収納ブロック３の具体的構成について説明する。
【００３０】
図１および図３に示すように、収納ブロック３には、紙幣を金種別に収納するための４つの収納部として、千円収納部３ａ、２千円収納部３ｂ、万円収納部３ｃ、および５千円収納部３ｄが設けられている。また、千円収納部３ａと２千円収納部３ｂとの間には、千円収納部３ａ側に第１仮収納部３ｆが、２千円収納部３ｂ側にリジェクト部３ｅが、それぞれ設けられている。さらに、万円収納部３ｃと５千円収納部３ｄとの間には、第２仮収納部３ｇが設けられている。
【００３１】
各収納部３ａ〜３ｄ、リジェクト部３ｅ、および各仮収納部３ｆ，３ｇは、それぞれ紙幣Ｐを、遊技島の搬送装置Ａ（図９）による上記搬送方向および姿勢と同じ向きで収納（仮収納）するようになっている。第１仮収納部３ｆ、２千円収納部３ｂ、および第２仮収納部３ｇには、それぞれ、図５に示した分岐経路１６、１７、および１８を通じて紙幣が送り込まれるようになっている。また、千円、万円、および５千円の各収納部３ａ，３ｄ，３ｃ、並びにリジェクト部３ｅの内部には、それぞれ圧縮ばね３４によって付勢される押圧板３５が設けられている。
【００３２】
図３および図６に示すように、各仮収納部３ｆ，３ｇには、それぞれ上下一対の回動ガイド部材３６，３６が設けられている。これらの回動ガイド部材３６，３６は、各仮収納部３ｆ，３ｇに送り込まれた紙幣Ｐを、当該仮収納部３ｆ，３ｇの両側に位置する収納部３ａ，３ｃ；３ｅ，３ｄに振り分ける振分け手段としての機能を有している。
【００３３】
各回動ガイド部材３６，３６は、それぞれ仮収納部３ｆ，３ｇへ送り込まれる紙幣の長手方向と平行に延びている。また、各回動ガイド部材３６は、略半円形の横断面形状を有すると共に、その延長方向と平行に延びる軸線回りに（図示しない駆動機構により）回動するようになっている。そして、上下一対の回動ガイド部材３６，３６は、図６に示す待機位置において紙幣Ｐを上下から挟み込むと共に、それらの回動方向に応じて、両側に位置する収納部３ａ（３ｃ），３ｅ（３ｄ）のいずれか一方に向かって紙幣Ｐを押し出すようになっている。
【００３４】
なお、上述した揺動ガイド部材２８ａ，２８ｂ（図４）の揺動位置の切り換えによって搬送経路の下流側１３から選択的に分岐する紙幣の分岐経路１６〜１８（図５）と、各仮収納部３ｆ，３ｇにおける振分け手段としての回動ガイド部材３６とによって、上記選別手段が構成されている。
【００３５】
図１、図２および図７に示すように、収納ブロック３は、各収納部３ａ〜３ｄ、リジェクト部３ｅ、および各仮収納部３ｆ，３ｇを取り囲むハウジング３０を有している。このハウジング３０の装置前面側ｆ（図７）には、開閉可能な蓋体３２が設けられている。このハウジング３０の蓋体３２を開放することで、図３に示すように、各収納部３ａ〜３ｄおよびリジェクト部３ｅに直立姿勢で収納されている紙幣Ｐを水平方向に抜き取ることが可能となる。
【００３６】
［動  作］
次に、以上のように構成された本実施形態の紙幣収納装置における動作について簡単に説明する。
【００３７】
まず、遊技島の遊技媒体貸出機Ｃに投入され紙幣搬送装置Ａによって島端へ搬送されてきた紙幣Ｐ（図９）は、紙幣収納装置Ｄにおける搬送部１へ、その導入部分１０から受け入れられる（図３）。搬送部１へ受け入れられた紙幣は、搬送ベルト装置２０〜２７（図４）によって、搬送経路１１〜１５（図５）を通じて収納ブロック３側へ搬送されて行く。その過程で、搬送経路の上流側（直進部分１１）に配置された識別センサＳによる紙幣の金種識別が行われる（正常に金種識別のできなかった紙幣はリジェクト紙幣として取り扱われる）。
【００３８】
搬送経路の下流側（直進部分１３）に至った紙幣は、識別センサＳによって識別された金種に応じて、揺動ガイド部材２８ａ，２８ｂ（図４）の揺動位置を切り換えることにより、３つの分岐経路１６〜１８のいずれかへ進入して行く。そのうち、分岐経路１６へ進入した紙幣（千円またはリジェクト紙幣）は第１仮収納部３ｆへ、分岐経路１７へ進入した紙幣（２千円紙幣）は２千円収納部３ｂへ、分岐経路１８へ進入した紙幣（万円または５千円紙幣）は第２仮収納部３ｆへ、それぞれ送り込まれる（図５、図１）。
【００３９】
第１仮収納部３ｆへ送り込まれた紙幣のうち、千円紙幣は千円収納部３ａへ、リジェクト紙幣は反対側のリジェクト部３ｅへ、それぞれ回動ガイド部材３６によって押し出される（図３、図６）。同様に、第２仮収納部３ｆへ送り込まれた紙幣のうち、万円紙幣は万円収納部３ｃへ、５千円紙幣は反対側の５千円収納部３ｄへ、それぞれ回動ガイド部材３６によって押し出される（図３、図６）。
【００４０】
以上のようにして、各収納部３ａ〜３ｄおよびリジェクト部３ｅに選別収納された紙幣は、例えば当日の店舗営業終了後に、ハウジング３０の蓋体３２を開放した状態で、係員によって抜き取られる。
【００４１】
［作用効果］
次に、以上のように構成された本実施形態の作用効果について説明する。
【００４２】
本実施形態の紙幣収納装置Ｄによれば、紙幣Ｐの水平な搬送方向および直立姿勢を維持したまま、すなわち搬送方向の３次元的な転換や姿勢の変化を伴うことなく、当該紙幣Ｐを搬送しつつ識別し、金種別に選別収納することができる。このため、紙幣Ｐの識別および選別収納を行うための搬送経路長を確保しつつ構造を簡素化して、特に装置Ｄの高さを共に抑えると共に、ジャム解除の操作性を向上させることが可能となる。
【００４３】
また、搬送部１における搬送手段を装置後面側ｒに、各収納部３ａ〜３ｄを装置前面側ｆに、それぞれ集約して配置した構造を有しているので、収納部３ａ〜３ｄに収納した紙幣Ｐの取り出し回収を装置前面側ｆから容易に行うことが可能となる。
【００４４】
また、搬送部１における搬送手段は、搬送装置Ａの搬送方向に対して略直交した水平方向へ略直線状に紙幣を搬送する複数の直進部分１１〜１３と、これらの直進部分１１，１２；１２，１３どうしの間で紙幣の搬送方向を反転させる転回部分１４；１５とからなる搬送経路を形成している（図５）。これにより、搬送経路長を確保しつつ搬送部１をよりコンパクトにまとめることができる。特に、搬送経路における複数の直進部分１１〜１３が装置Ｄの幅方向へ延びるように配置されているので、装置Ｄの奥行も抑えることができる。
【００４５】
また、内部ユニットｄ２を筐体ｄ１から装置前面側ｆへ引き出す際、搬送部１が、紙幣の搬送経路に外部からアクセス可能となる形態（第１〜第４ブロック１ａ〜１ｄ）へ水平方向に展開するようにした（図７および図８）。これにより、ジャム解除の操作性をより一層向上させる等のメンテナンス性の改善を図ることができる。
【００４６】
［変形例］
（１）搬送部１における紙幣の搬送手段として、平ベルト式の搬送ベルト装置２０〜２７を用いる場合について説明したが、本発明はこれに限定されない。例えば、搬送ベルト装置に代えて、複数のローラによる搬送ローラ装置を用いてもよく、また搬送ベルト装置と搬送ローラ装置とを適宜に組み合わせて用いてもよい。
【００４７】
（２）複数の収納部に紙幣を金種別に選別して送り込む選別手段として、３つの分岐経路１６〜１８と、振分け手段３６の設けられた２つの仮収納部３ｆ，３ｇとを用いる場合について説明したが、本発明はこれに限定されない。すなわち、選別すべき紙幣の種類に応じて、分岐経路や仮収納部の数をそれぞれ変更することができ、また分岐経路と仮収納部のいずれか一方のみを用いることもできる。
【００４８】
但し、選別すべき紙幣の種類がある程度多い（少なくとも３種類ある）場合には、複数の分岐経路と、振分け手段の設けられた少なくとも１つの仮収納部とを組み合わせた選別手段を用いることが好ましい。そのようにすることで、分岐経路だけを用いて紙幣の選別収納を行う場合に比べて、装置内スペースのより効率的な利用を図ることができるからである。
【図面の簡単な説明】
【００４９】
【図１】本発明による紙幣収納装置の一実施形態を示す内部ユニットの水平断面図。
【図２】図１に示した内部ユニットの外観を示す斜視図。
【図３】図１に示した内部ユニットの内部構造を示す斜視図。
【図４】図１の内部ユニットの搬送部を拡大して示す図。
【図５】図４の搬送部における紙幣の搬送経路および分岐経路を示す図。
【図６】図１に示した内部ユニットの収納ブロックにおける振分け手段の原理を模式的に示す正面図。
【図７】図１に示した紙幣収納装置の内部ユニットを同装置の筐体から引き出した状態を示す斜視図。
【図８】図７に示した引き出し状態の紙幣収納装置における搬送部の展開状態を示す平面図。
【図９】図７に示した紙幣収納装置と、これが隣接して設置される遊技島の貸出機および搬送装置との関係を模式的に示す斜視図。
【図１０】図９に示した紙幣収納装置が隣接して設置される遊技島の一部を模式的に示す水平断面図。
【符号の説明】
【００５０】
Ａ  紙幣搬送装置
Ｂ  遊技台
Ｃ  遊技媒体貸出機
Ｄ  紙幣収納装置
ｄ１  筐体
ｄ２  内部ユニット
ｆ  前面側
ｒ  後面側
１  搬送部
１ａ  第１ブロック
１ｂ  第２ブロック
１ｃ  第３ブロック
１ｄ  第４ブロック
ｓ１，ｓ２  揺動軸
１０  導入部分
１１，１２，１３  直進部分（搬送経路）
１４，１５  転回部分（搬送経路）
１６，１７，１８  分岐経路（選別手段）
２０〜２７  搬送ベルト装置（搬送手段）
２８ａ，２８ｂ  揺動ガイド部材（選別手段）
２９ｂ，２９ｆ，２９ｇ  ゴム羽根車
Ｓ  識別センサ（識別手段）
３  収納ブロック
３ａ  千円収納部
３ｂ  ２千円収納部
３ｃ  万円収納部
３ｄ  ５千円収納部
３ｅ  リジェクト部
３ｆ  第１仮収納部
３ｇ  第２仮収納部
３０  ハウジング
３２  蓋体
３４  圧縮ばね
３５  押圧板
３６  回動ガイド部材（選別手段／振分け手段）
Ｐ  紙幣
【図１】
2007334597.tif 000003
【図２】
2007334597.tif 000004
【図３】
2007334597.tif 000005
【図４】
2007334597.tif 000006
【図５】
2007334597.tif 000007
【図６】
2007334597.tif 000008
【図７】
2007334597.tif 000009
【図８】
2007334597.tif 000010
【図９】
2007334597.tif 000011
【図１０】
2007334597.tif 000012